(57)【要約】  本発明は、監視映像の処理方法、装置、プログラム及び記録媒体に関する。前記方法は、監視映像ファイルに対する、ユーザーアカウントを介して送信される照会要求であって、前記ユーザーアカウントの権限情報を含む照会要求を取得するステップと、前記権限情報によって前記ユーザーアカウントに対して身分認証を行うステップと、身分認証に成功すると、前記ユーザーアカウントが前記監視映像ファイルを照会することを許可するステップと、を含む。本発明は、監視映像ファイルを勝手に照会することを禁止する。【選択図】図１
2017505592.tif 000002
【特許請求の範囲】
【請求項１】
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含むことを特徴とする監視映像の処理方法。
【請求項２】
カメラ装置がアップロードした前記監視映像ファイルに対してプライバシー保護操作を行うステップをさらに含むことを特徴とする請求項１に記載の監視映像の処理方法。
【請求項３】
前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含むことを特徴とする請求項２に記載の監視映像の処理方法。
【請求項４】
前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含むことを特徴とする請求項３に記載の監視映像の処理方法。
【請求項５】
前記ファイルキーをプリセットユーザーアカウントに配分するステップをさらに含むことを特徴とする請求項４に記載の監視映像の処理方法。
【請求項６】
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含むことを特徴とする請求項４に記載の監視映像の処理方法。
【請求項７】
前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に設定するステップと、
可視になった監視映像ファイルを表示するステップと、を含むことを特徴とする請求項３に記載の監視映像の処理方法。
【請求項８】
前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含むことを特徴とする請求項５又は請求項６に記載の監視映像の処理方法。
【請求項９】
前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含むことを特徴とする請求項４に記載の監視映像の処理方法。
【請求項１０】
監視映像ファイルに対する、ユーザーアカウントを介して送信される照会要求であって、前記ユーザーアカウントの権限情報を含む照会要求を取得する第１の取得モジュールと、
前記権限情報によって前記ユーザーアカウントに対して身分認証を行う認証モジュールと、
身分認証に成功すると、前記ユーザーアカウントが前記監視映像ファイルを照会することを許可する照会モジュールと、を備えることを特徴とする監視映像の処理装置。
【請求項１１】
カメラ装置がアップロードした前記監視映像ファイルに対してプライバシー保護操作を行う実行モジュールをさらに備えることを特徴とする請求項１０に記載の監視映像の処理装置。
【請求項１２】
前記実行モジュールは、
前記監視映像ファイルの属性を秘密に設定する設定サブモジュール、又は
前記監視映像ファイルに対して暗号化する暗号化サブモジュールのうちいずれか１つのサブモジュールを備えることを特徴とする請求項１１に記載の監視映像の処理装置。
【請求項１３】
前記暗号化サブモジュールは、前記監視映像ファイルに対して暗号化するためのファイルキーを取得し、前記ファイルキーによって前記監視映像ファイルに対して暗号化することを特徴とする請求項１２に記載の監視映像の処理装置。
【請求項１４】
前記ファイルキーをプリセットユーザーアカウントに配分する配分モジュールをさらに備えることを特徴とする請求項１３に記載の監視映像の処理装置。
【請求項１５】
前記プリセットユーザーアカウントのユーザー秘密鍵を取得する第２の取得モジュールと、
前記ファイルキー及び前記プリセットユーザーアカウントのユーザー秘密鍵によって、前記プリセットユーザーアカウントのユーザー公開鍵を生成する生成モジュールと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成する送信モジュールと、をさらに備えることを特徴とする請求項１３に記載の監視映像の処理装置。
【請求項１６】
前記照会モジュールは、
前記監視映像ファイルの属性が秘密に設定され、且つ身分認証に成功すると、前記監視映像ファイルの属性を可視に変更する変更サブモジュールと、
可視になった監視映像ファイルを表示する表示モジュールと、を備えることを特徴とする請求項１２に記載の監視映像の処理装置。
【請求項１７】
前記照会モジュールは、
前記監視映像ファイルが暗号化され、且つ身分認証に成功すると、前記ユーザーアカウントが入力するファイルキーを取得する取得サブモジュールと、
前記ファイルキーによって前記監視映像ファイルに対して復号化する復号化サブモジュールと、
復号化された監視映像ファイルを表示する表示サブモジュールと、を備えることを特徴とする請求項１４又は請求項１５に記載の監視映像の処理装置。
【請求項１８】
前記ファイルキーは前記監視映像ファイルを撮影するカメラ装置の所有者のユーザーパスワードであり、前記権限情報は前記ユーザーアカウントのユーザーネーム及びユーザーパスワードを含み、
前記照会モジュールは、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化する復号化サブモジュールと、
復号化された監視映像ファイルを表示する表示サブモジュールと、を備えることを特徴とする請求項１３に記載の監視映像の処理装置。
【請求項１９】
プロセッサーと、
前記プロセッサーによって実行可能な命令を記憶するメモリと、を備え、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成されることを特徴とする監視映像の処理装置。
【発明の詳細な説明】
【技術分野】
【０００１】
本発明は、コンピュータ技術分野に関し、更に詳細には、監視映像の処理方法及び装置に関する。
【背景技術】
【０００２】
伝統的なカメラをネットワーク技術と組み合わせることによって、ウェブカメラは、ネットワークを介して映像を地球の他の所に伝送することができ、遠いところに離れている訪問者が標準的なウェブブラウザ（例えば、Ｍｉｃｒｏｓｏｆｔ ＩＥ又はＮｅｔｓｃａｐｅ）を介して映像を監視することができる。
【０００３】
関連技術におけるウェブカメラは、監視映像をローカルに保存できるだけでなく、ネットワークのルータに自動的に伝送することができて、ユーザーが監視し、バックアップすることに便宜を図る。これらの機能は実用的であるが、いずれのユーザーが勝手にルータの監視映像を照会することができて、相応的にプライバシー問題が存在する。
【発明の概要】
【発明が解決しようとする課題】
【０００４】
本発明は、監視映像の処理方法及び装置を提供する。
【課題を解決するための手段】
【０００５】
本発明の第１の態様によれば、監視映像の処理方法が提供され、前記方法は、
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含む。
【０００６】
本発明では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【０００７】
好ましくは、前記方法は、カメラ装置がアップロードした前記監視映像ファイルに対してプライバシー保護操作を行うステップをさらに含む。
【０００８】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【０００９】
好ましくは、前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含む。
【００１０】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００１１】
好ましくは、前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含む。
【００１２】
好ましい技術的案において、端末は監視映像ファイルに対して暗号化して、監視映像ファイルに対する保護を実現でき、監視映像を勝手に照会することができなくなり、ユーザーのプライバシー情報の漏洩を防止し、ユーザーのプライバシーを効果的に保護することができる。
【００１３】
好ましくは、前記方法は、
前記ファイルキーをプリセットユーザーアカウントに配分するステップをさらに含む。
【００１４】
好ましい技術的案において、カメラ装置の所有者は、監視映像ファイルにアクセスする権限を含むユーザーアカウントを事前に設定することができ、端末はファイルキーをこのようなユーザーに配分することで、これらのユーザーが監視映像ファイルを照会することができる。このように、アクセス権限を有するユーザーのみが端末の監視映像ファイルを照会することができ、プライバシーを効果的に保護することができる。
【００１５】
好ましくは、前記方法は、
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含む。
【００１６】
好ましい技術的案において、ＲＳＡ公開鍵暗号方式に基づき、ファイルを暗号化するためのキーが公開されることを防止することができ、また、ファイルを暗号化するためのキーは一定であるが、プリセットユーザーアカウントの秘密鍵がそれぞれ異なってもよく、端末がそれぞれのユーザーアカウントのために生成した公開鍵も互いに異なってもよい。このように、それぞれのユーザーアカウントの公開鍵が公開されても、他人がファイルを暗号化するためのキーを取得することができなくなり、ファイルを暗号化するためのキーのセキュリティ性をさらに向上させることができて、監視映像ファイルのセキュリティ性も向上され、ユーザーのプライバシーをより効果的に保護することができる。
【００１７】
好ましくは、前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に変更するステップと、
可視になった監視映像ファイルを表示するステップと、を含む。
【００１８】
好ましい技術的案において、ユーザーが身分認証に成功すると、端末は秘密になった監視映像ファイルの属性を可視に変更し、身分認証に成功したユーザーが当該監視映像ファイルにアクセスすることができるようにして、監視映像ファイルに対する保護を実現でき、監視映像を勝手に照会することができなくなり、ユーザーのプライバシー情報の漏洩を防止し、ユーザーのプライバシーを効果的に保護することができる。
【００１９】
好ましくは、前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含む。
【００２０】
好ましい技術的案において、ユーザーが身分認証に成功すると、端末は監視映像ファイルに対して復号化すると共にユーザーに表示させるように、ユーザーにファイルキーを入力することを提示して、監視映像ファイルに対する保護を実現でき、監視映像を勝手に照会することができなくなり、ユーザーのプライバシー情報の漏洩を防止し、ユーザーのプライバシーを効果的に保護することができる。
【００２１】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含む。
【００２２】
好ましい技術的案において、カメラ装置の所有者が自分ＩＤのユーザーパスワードを用いて、監視映像ファイルに対して暗号化する場合、身分認証する時訪問者がカメラ装置の所有者自分であると確定されると、カメラ装置の所有者が監視映像ファイルに便利で簡単にアクセスできるように、ユーザーのために監視映像ファイルを直接復号化する。
【００２３】
本発明の第２の態様によれば、監視映像の処理装置が提供され、前記装置は、
監視映像ファイルに対する、ユーザーアカウントを介して送信される照会要求であって、前記ユーザーアカウントの権限情報を含む照会要求を取得する第１の取得モジュールと、
前記権限情報によって前記ユーザーアカウントに対して身分認証を行う認証モジュールと、
身分認証に成功すると、前記ユーザーアカウントが前記監視映像ファイルを照会することを許可する照会モジュールと、を備える。
【００２４】
好ましくは、前記装置は、カメラ装置がアップロードした前記監視映像ファイルに対してプライバシー保護操作を行う実行モジュールをさらに備える。
【００２５】
好ましくは、前記実行モジュールは、
前記監視映像ファイルの属性を秘密に設定する設定サブモジュール、又は
前記監視映像ファイルに対して暗号化する暗号化サブモジュールのうちいずれか１つのサブモジュールを備える。
【００２６】
好ましくは、前記暗号化サブモジュールは、前記監視映像ファイルに対して暗号化するためのファイルキーを取得し、前記ファイルキーによって前記監視映像ファイルに対して暗号化する。
【００２７】
好ましくは、前記装置は、前記ファイルキーをプリセットユーザーアカウントに配分する配分モジュールをさらに備える。
【００２８】
好ましくは、前記装置は、前記プリセットユーザーアカウントのユーザー秘密鍵を取得する第２の取得モジュールと、
前記ファイルキー及び前記プリセットユーザーアカウントのユーザー秘密鍵によって、前記プリセットユーザーアカウントのユーザー公開鍵を生成する生成モジュールと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成する送信モジュールと、をさらに備える。
【００２９】
好ましくは、前記照会モジュールは、
前記監視映像ファイルの属性が秘密に設定され、且つ身分認証に成功すると、前記監視映像ファイルの属性を可視に変更する変更サブモジュールと、
可視になった監視映像ファイルを表示する表示モジュールと、を備える。
【００３０】
好ましくは、前記照会モジュールは、
前記監視映像ファイルが暗号化され、且つ身分認証に成功すると、前記ユーザーアカウントが入力するファイルキーを取得する取得サブモジュールと、
前記ファイルキーによって前記監視映像ファイルに対して復号化する復号化サブモジュールと、
復号化された監視映像ファイルを表示する表示サブモジュールと、を備える。
【００３１】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
前記照会モジュールは、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化する復号化サブモジュールと、
復号化された監視映像ファイルを表示する表示サブモジュールと、を備える。
【００３２】
本発明の第３の態様によれば、監視映像の処理装置が提供され、前記装置は、
プロセッサーと、
前記プロセッサーによって実行可能な命令を記憶するメモリと、を備え、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成される。
【００３３】
以上の一般的な記述と、以下の詳細の記述は、ただ例示的なものであって、本発明を限定するものではないことを理解すべきである。
【図面の簡単な説明】
【００３４】
ここの図面は、明細書に組み入れて本明細書の一部分を構成し、本発明に該当する実施例を例示するとともに、明細書とともに本発明の原理を解釈するために用いられる。
【図１】一例示的な実施例に係る監視映像の処理方法を示すフローチャートである。
【図２】他の一例示的な実施例に係る監視映像の処理方法を示すフローチャートである。
【図３】他の一例示的な実施例に係る監視映像の処理方法を示すフローチャートである。
【図４】他の一例示的な実施例に係る監視映像の処理方法を示すフローチャートである。
【図５】他の一例示的な実施例に係る監視映像の処理方法を示すフローチャートである。
【図６】他の一例示的な実施例に係る監視映像の処理方法を示すフローチャートである。
【図７】他の一例示的な実施例に係る監視映像の処理方法を示すフローチャートである。
【図８】一例示的な実施例に係る監視映像の処理装置を示すブロック図である。
【図９】他の一例示的な実施例に係る監視映像の処理装置を示すブロック図である。
【図１０】一例示的な実施例に係る実行モジュールを示すブロック図である。
【図１１】他の一例示的な実施例に係る監視映像の処理装置を示すブロック図である。
【図１２】他の一例示的な実施例に係る監視映像の処理装置を示すブロック図である。
【図１３】一例示的な実施例に係る照会モジュールを示すブロック図である。
【図１４】他の一例示的な実施例に係る照会モジュールを示すブロック図である。
【図１５】他の一例示的な実施例に係る照会モジュールを示すブロック図である。
【図１６】一例示的な実施例に係る監視映像を処理するための装置を示すブロック図である。
【図１７】一例示的な実施例に係る監視映像を処理するための装置を示すブロック図である。
【発明を実施するための形態】
【００３５】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。むしろ、それらは、添付される特許請求の範囲で詳細に記載される本発明の一部の態様に一致する装置、及び方法の例に過ぎない。
【００３６】
カメラ装置（例えば、監視カメラ）は撮影した監視映像ファイルを端末機器（コンピュータ、又はルーター）にアップロードする。本発明は、主に端末機器の監視映像ファイルに対してプライバシーを保護する。
【００３７】
図１は、一例示的な実施例に係る監視映像の処理方法を示すフローチャートである。図１に示すように、カメラ装置は監視映像ファイルを端末にアップロードする。前記監視映像の処理方法は端末に適用され、以下のようなステップを含む。
【００３８】
ステップＳ１１：監視映像ファイルに対する、ユーザーアカウントを介して送信される照会要求であって、前記ユーザーアカウントの権限情報を含む照会要求を取得する。
【００３９】
ステップＳ１２：権限情報によってユーザーアカウントに対して身分認証を行う。
【００４０】
ステップＳ１３：身分認証に成功すると、ユーザーアカウントが監視映像ファイルを照会することを許可する。
【００４１】
本実施例では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【００４２】
図２は、他の一例示的な実施例に係る監視映像の処理方法を示すフローチャートである。図２に示すように、好ましくは、前記方法は、
カメラ装置がアップロードした前記監視映像ファイルに対してプライバシー保護操作を行うステップＳ１０をさらに含む。
【００４３】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【００４４】
好ましくは、ステップＳ１０は、
監視映像ファイルの属性を秘密に設定するステップ、又は
監視映像ファイルに対して暗号化するステップのうちいずれか１つのステップを含む。
【００４５】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００４６】
図３は、他の一例示的な実施例に係る監視映像の処理方法を示すフローチャートである。図３に示すように、好ましくは、監視映像ファイルに対して暗号化するステップは、
監視映像ファイルに対して暗号化するためのファイルキーを取得するステップＳ３１と、
ファイルキーによって監視映像ファイルに対して暗号化するステップＳ３２と、を含む。
【００４７】
好ましい技術的案において、端末は監視映像ファイルに対して暗号化する。暗号化するためのファイルキーはカメラ装置の所有者が事前に設定したものであってもよい。例えば、カメラ装置の所有者の端末におけるユーザーパスワードである。また、暗号化するためのファイルキーは端末が生成したものであってもよい。カメラ装置の所有者でも他のユーザーでも実際に監視映像ファイルに対して暗号化したファイルキーを獲得することができず、端末に保存した監視映像ファイルのセキュリティ性をさらに確保することができる。このような暗号化方法のすべてが監視映像ファイルに対する保護を実現でき、監視映像を勝手に照会することができなくなり、ユーザーのプライバシー情報の漏洩を防止し、ユーザーのプライバシーを効果的に保護することができる。
【００４８】
好ましくは、前記方法は、
ファイルキーをプリセットユーザーアカウントに配分するステップをさらに含む。
【００４９】
好ましい技術的案において、カメラ装置の所有者は、監視映像ファイルにアクセスする権限を含むユーザーアカウントを事前に設定することができ、端末はファイルキーをこのようなユーザーに配分することで、これらのユーザーが監視映像ファイルを照会することができる。このように、アクセス権限を有するユーザーのみが端末の監視映像ファイルを照会することができ、プライバシーを効果的に保護することができる。
【００５０】
図４は、他の一例示的な実施例に係る監視映像の処理方法を示すフローチャートである。図４に示すように、好ましくは、前記方法は、
プリセットユーザーアカウントのユーザー秘密鍵を取得するステップＳ４１と、
ファイルキー及びプリセットユーザーアカウントのユーザー秘密鍵によって、プリセットユーザーアカウントのユーザー公開鍵を生成するステップＳ４２と、
ユーザー公開鍵を対応するプリセットユーザーアカウントに送信し、プリセットユーザーアカウントがユーザー公開鍵及びユーザー秘密鍵によって監視映像ファイルのファイルキーを生成するステップＳ４３と、をさらに含む。
【００５１】
好ましい技術的案において、ＲＳＡ公開鍵暗号方式に基づき、端末はプリセットユーザーアカウントの秘密鍵及び自分のファイルを暗号化するためのキーによって、プリセットユーザーアカウントの公開鍵を生成し、他のユーザーは公開鍵及び自分の秘密鍵によってファイルを暗号化するためのキーを算出できる。従って、これらのユーザーは端末の映像ファイルにアクセスすることができる。このような暗号化方式により、ファイルを暗号化するためのキーが公開されることを防止することができ、また、ファイルを暗号化するためのキーは一定であるが、プリセットユーザーアカウントの秘密鍵がそれぞれ異なっていてもよく、端末がそれぞれのユーザーアカウントのために生成した公開鍵も互いに異なっていてもよい。このように、それぞれのユーザーアカウントの公開鍵が公開されても、他人がファイルを暗号化するためのキーを取得することができなくなり、ファイルを暗号化するためのキーのセキュリティ性をさらに向上させることができて、監視映像ファイルのセキュリティ性も向上され、ユーザーのプライバシーをより効果的に保護することができる。
【００５２】
図５は、他の一例示的な実施例に係る監視映像の処理方法を示すフローチャートである。図５に示すように、好ましくは、監視映像ファイルの属性が秘密に設定される場合、ステップＳ１３は、
身分認証に成功すると、監視映像ファイルの属性を可視に変更するステップＳ５１と、
可視になった監視映像ファイルを表示するステップＳ５２と、を含む。
【００５３】
好ましい技術的案において、ユーザーが身分認証に成功すると、端末は秘密になった監視映像ファイルの属性を可視に変更し、身分認証に成功したユーザーが当該監視映像ファイルにアクセスすることができるようにして、監視映像ファイルに対する保護を実現でき、監視映像を勝手に照会することができなくなり、ユーザーのプライバシー情報の漏洩を防止し、ユーザーのプライバシーを効果的に保護することができる。
【００５４】
図６は、他の一例示的な実施例に係る監視映像の処理方法を示すフローチャートである。図６に示すように、好ましくは、監視映像ファイルが暗号化される場合、ステップＳ１３は、
身分認証に成功すると、ユーザーアカウントが入力するファイルキーを取得するステップＳ６１と、
ファイルキーによって監視映像ファイルに対して復号化するステップＳ６２と、
復号化された監視映像ファイルを表示するステップＳ６３と、を含む。
【００５５】
好ましい技術的案において、ユーザーが身分認証に成功すると、端末は監視映像ファイルに対して復号化すると共にユーザーに表示させるように、ユーザーにファイルキーを入力することを提示して、監視映像ファイルに対する保護を実現でき、監視映像を勝手に照会することができなくなり、ユーザーのプライバシー情報の漏洩を防止し、ユーザーのプライバシーを効果的に保護することができる。
【００５６】
図７は、他の一例示的な実施例に係る監視映像の処理方法を示すフローチャートである。図７に示すように、好ましくは、ファイルキーは監視映像ファイルを撮影するカメラ装置の所有者のユーザーパスワードであり、権限情報はユーザーアカウントのユーザーネーム及びユーザーパスワードを含み、ステップＳ１３は、
権限情報によってユーザーアカウントを、監視映像ファイルを撮影するカメラ装置の所有者のＩＤ（ＩＤｅｎｔｉｆｉｃａｔｉｏｎ）として確定すると、監視映像ファイルを撮影するカメラ装置の所有者のユーザーパスワードを用いて、監視映像ファイルに対して復号化するステップＳ７１と、
復号化された監視映像ファイルを表示するステップＳ７２と、を含む。
【００５７】
好ましい技術的案において、カメラ装置の所有者が自分ＩＤのユーザーパスワードを用いて、監視映像ファイルに対して暗号化する場合、身分認証する時訪問者がカメラ装置の所有者自分であると確定されると、カメラ装置の所有者が監視映像ファイルに便利で簡単にアクセスできるように、ユーザーのために監視映像ファイルを直接復号化する。
【００５８】
図８は、一例示的な実施例に係る監視映像の処理装置を示すブロック図である。図８に示すように、前記装置は、第１の取得モジュール８１、認証モジュール８２、及び照会モジュール８３を有する。
【００５９】
第１の取得モジュール８１は、監視映像ファイルに対する、ユーザーアカウントを介して送信される照会要求であって、前記ユーザーアカウントの権限情報を含む照会要求を取得するように構成される。
【００６０】
認証モジュール８２は、前記権限情報によって前記ユーザーアカウントに対して身分認証を行うように構成される。
【００６１】
照会モジュール８３は、身分認証に成功すると、前記ユーザーアカウントが前記監視映像ファイルを照会することを許可するように構成される。
【００６２】
図９は、他の一例示的な実施例に係る監視映像の処理装置を示すブロック図である。図９に示すように、好ましくは、前記装置は、
前記カメラ装置がアップロードした前記監視映像ファイルに対してプライバシー保護操作を行うよう構成される実行モジュール８４をさらに有する。
【００６３】
図１０は、他の一例示的な実施形態に係る実行モジュールを示すブロック図である。図１０に示すように、好ましくは、前記実行モジュール８４は、
前記監視映像ファイルの属性を秘密に設定するように構成される設定サブモジュール１０１、又は
前記監視映像ファイルに対して暗号化するように構成される暗号化サブモジュール１０２のうちいずれか１つのサブモジュールを有する。
【００６４】
好ましくは、前記暗号化サブモジュール１０２は、前記監視映像ファイルに対して暗号化するためのファイルキーを取得し、前記ファイルキーによって前記監視映像ファイルに対して暗号化するように構成される。
【００６５】
図１１は、他の一例示的な実施例に係る監視映像の処理装置を示すブロック図である。図１１に示すように、好ましくは、前記装置は、
前記ファイルキーをプリセットユーザーアカウントに配分するように構成される配分モジュール８５をさらに有する。
【００６６】
図１２は、他の一例示的な実施例に係る監視映像の処理装置を示すブロック図である。図１２に示すように、好ましくは、前記装置は、
前記プリセットユーザーアカウントのユーザー秘密鍵を取得するように構成される第２の取得モジュール８６と、
前記ファイルキー及び前記プリセットユーザーアカウントのユーザー秘密鍵によって前記プリセットユーザーアカウントのユーザー公開鍵を生成するように構成される生成モジュール８７と、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するように構成される送信モジュール８８と、をさらに有する。
【００６７】
図１３は、他の一例示的な実施形態による照会モジュールを示すブロック図である。図１３に示すように、好ましくは、前記照会モジュール８３は、
前記監視映像ファイルの属性が秘密に設定され、且つ身分認証に成功すると、前記監視映像ファイルの属性を可視に変更するように構成される変更サブモジュール１３１と、
可視になった監視映像ファイルを表示するように構成される表示モジュール１３２と、を有する。
【００６８】
図１４は、他の一例示的な実施例に係る照会モジュールを示すブロック図である。図１４に示すように、好ましくは、前記照会モジュール８３は、
前記監視映像ファイルが暗号化され、且つ身分認証に成功すると、前記ユーザーアカウントが入力するファイルキーを取得するように構成される取得サブモジュール１４１と、
前記ファイルキーによって、前記監視映像ファイルに対して復号化するように構成される復号化サブモジュール１４２と、
復号化された監視映像ファイルを表示するように構成される表示サブモジュール１４３と、を有する。
【００６９】
図１５は、他の一例示的な実施例に係る照会モジュールを示すブロック図である。図１５に示すように、好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、前記照会モジュール８３は、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化するように構成される復号化サブモジュール１５１と、
復号化された監視映像ファイルを表示するように構成される表示サブモジュール１５２と、を有する。
【００７０】
前記実施例に係る装置において、その中のそれぞれのモジュールが操作を実行する具体的な方法は、関連する当該方法の実施例にてすでに詳細な説明をしたので、ここで詳細に説明しない。
【００７１】
また、本発明は、監視映像の処理装置をさらに提供し、前記装置は、
プロセッサーと、
前記プロセッサーによって実行可能な命令を記憶するメモリと、を有し、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成される。
【００７２】
図１６は、１つの例示的な実施例に係る監視映像を処理するための装置を示すブロック図である。例えば、装置１６００は、携帯電話、コンピュータ、デジタルブロードキャスト端末、メッセージ送受信機、ゲーム機、タブレットデバイス、医療機器、フィットネス機器、ＰＤＡ等のものであってもよい。
【００７３】
図１６を参照すると、装置１６００は、処理ユニット１６０２、メモリ１６０４、電源ユニット１６０６、マルチメディアユニット１６０８、オーディオユニット１６１０、入力/出力（Ｉ/Ｏ）インターフェース１６１２、センサーユニット１６１４、及び通信ユニット１６１６からなる群から選ばれる少なくとも１つを備えてもよい。
【００７４】
処理ユニット１６０２は、一般的には、装置１６００の全体の操作、例えば、表示、電話呼び出し、データ通信、カメラ操作及び記録操作に関連する操作を制御する。処理ユニット１６０２は、上述した方法におけるステップの一部又は全部を実現できるように、命令を実行する少なくとも１つのプロセッサー１６２０を備えてもよい。また、処理ユニット１６０２は、他のユニットとのインタラクションの便宜を図るように、少なくとも１つのモジュールを備えてもよい。例えば、処理ユニット１６０２は、マルチメディアユニット１６０８とのインタラクションの便宜を図るように、マルチメディアモジュールを備えてもよい。
【００７５】
メモリ１６０４は、装置１６００での操作をサポートするように、各種のデータを記憶するように配置される。これらのデータは、例えば、装置１６００で何れのアプリケーション又は方法を操作するための命令、連絡先データ、電話帳データ、メッセージ、画像、ビデオ等を含む。メモリ１６０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【００７６】
電源ユニット１６０６は、装置１６００の各種ユニットに電力を供給するためのものであり、電源管理システム、１つ又は複数の電源、及び装置１６００のために電力を生成、管理及び分配することに関連する他のユニットを備えてもよい。
【００７７】
マルチメディアユニット１６０８は、装置１６００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１６０８は、フロントカメラ及び/又はバックカメラを有してもよい。装置１６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００７８】
オーディオユニット１６１０は、オーディオ信号を出力及び/又は入力するように配置される。例えば、オーディオユニット１６１０は、マイクロフォン（ＭｉＣ）を有してもよい。装置１６００が、例えば、呼び出しモード、記録モード、又は音声認識モードのような操作モードにあるとき、マイクロフォンは、外部のオーディオ信号を受信するように配置される。受信したオーディオ信号は、メモリ１６０４にさらに記憶されてもよいし、通信ユニット１６１６を介して送信されてもよい。一実施例では、オーディオユニット１６１０は、オーディオ信号を出力するためのスピーカをさらに備えてもよい。
【００７９】
Ｉ/Ｏインターフェース１６１２は、処理ユニット１６０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８０】
センサーユニット１６１４は、装置１６００のために各方面の状態を評価する少なくとも１つのセンサーを備えてもよい。例えば、センサーユニット１６１４は、装置１６００のオン/オフ状態や、ユニットの相対的な位置を検出することができる。例えば、前記ユニットは、装置１６００のディスプレイ及びキーパッドである。センサーユニット１６１４は、装置１６００又は装置１６００の１つのユニットの位置の変化、ユーザーによる装置１６００への接触の有無、装置１６００の方向又は加速/減速、装置１６００の温度変化などを検出することができる。センサーユニット１６１４は、何れの物理的な接触もない場合に付近の物体を検出するように配置される近接センサーを有してもよい。センサーユニット１６１４は、イメージングアプリケーションに用いるための光センサー、例えば、ＣＭＯＳ又はＣＣＤ画像センサーを有してもよい。一実施例では、当該センサーユニット１６１４は、加速度センサー、ジャイロスコープセンサー、磁気センサー、圧力センサー又は温度センサーをさらに備えてもよい。
【００８１】
通信ユニット１６１６は、装置１６００と他の設備の間との無線又は有線通信の便宜を図るように配置される。装置１６００は、通信標準に基づく無線ネットワーク、例えば、ＷｉＦｉ、２Ｇ又は３Ｇ、又はそれらの組み合わせにアクセスできる。１つの例示的な実施例では、通信ユニット１６１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）技術及び他の技術によって実現されてもよい。
【００８２】
例示的な実施例では、装置１６００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００８３】
図１７は、一例示的な実施例に係る監視映像を処理するための装置を示すブロック図である。図１７を参照すると、例えば、装置１７００は、１つ以上のプロセッサーがさらに含まれた処理ユニット１７２２と、処理ユニット１７２２により実行可能な命令、例えばプログラムを記憶するメモリ１７３２を代表とするメモリリソースとを含む。メモリ１７３２に記憶されたアプリケーションプログラムは、１つ以上のそれぞれが一組の命令に対応するモジュールを含んでもよい。また、前記いずれか１つの実施例に提供された方法を実行するために、処理ユニット１７２２は命令を実行するように配置される。
【００８４】
装置１７００は、装置１７００の電源管理を実行するように配置された電源ユニット１７２６と、装置１７００をインターネットに接続させるように配置された有線又は無線インターネットインターフェース１７５０と、入力/出力（Ｉ/Ｏ）インターフェース１７５８とを備えてもよい。装置１７００はメモリ１７３２に記憶された操作システム、例えばＷｉｎｄｏｗｓ Ｓｅｒｖｅｒ（登録商標）、Ｍａｃ ＯＳ Ｘ（登録商標）、Ｕｎｉｘ（登録商標）, Ｌｉｎｕｘ（登録商標）、ＦｒｅｅＢＳＤ（登録商標）などに基づいて操作できる。
【００８５】
例示的な実施例では、命令を有する非一時的コンピュータ読み取り可能な記録媒体、例えば、命令を有するメモリをさらに提供する。前記命令は、装置のプロセッサーにより実行されて上述した方法を実現する。例えば、前記非一時的コンピュータ読み取り可能な記録媒体は、ＲＯＭ、ＲＡＭ、ＣＤ-ＲＯＭ、磁気テープ、フロッピーディスク及び光データメモリ等であってもよい。
【００８６】
非一時的コンピュータ読み取り可能な記録媒体は、前記記録媒体における命令が端末又はルータのプロセッサーにより実行されると、端末又はルータが監視映像を処理する方法を実行するようにする。前記方法は、
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含む。
【００８７】
本実施例では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【００８８】
好ましくは、前記方法は、
カメラ装置がアップロードした前記監視映像ファイルに対してプライバシー保護操作を行うステップをさらに含む。
【００８９】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【００９０】
好ましくは、前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含む。
【００９１】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００９２】
好ましくは、前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含む。
【００９３】
好ましくは、前記方法は、
前記ファイルキーをプリセットユーザーアカウントに配分するステップをさらに含む。
【００９４】
好ましくは、前記方法は、
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含む。
【００９５】
好ましくは、前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に変更するステップと、
可視になった監視映像ファイルを表示するステップと、を含む。
【００９６】
好ましくは、前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含む。
【００９７】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含む。
【００９８】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【００９９】
本発明は、前記で記述し、図面で図示した特定の構成に限定されず、その範囲を離脱しない状況で、様様な修正と変更を実現できる。本発明の範囲は、添付される特許請求の範囲のみにより限定される。
【０１００】
本願は、出願番号が２０１４１０８０４３２４.０であって、出願日が２０１４年１２月１９日である中国特許出願に基づき優先権を主張し、当該中国特許出願のすべての内容を本願に援用する。
【図１】
2017505592.tif 000003
【図２】
2017505592.tif 000004
【図３】
2017505592.tif 000005
【図４】
2017505592.tif 000006
【図５】
2017505592.tif 000007
【図６】
2017505592.tif 000008
【図７】
2017505592.tif 000009
【図８】
2017505592.tif 000010
【図９】
2017505592.tif 000011
【図１０】
2017505592.tif 000012
【図１１】
2017505592.tif 000013
【図１２】
2017505592.tif 000014
【図１３】
2017505592.tif 000015
【図１４】
2017505592.tif 000016
【図１５】
2017505592.tif 000017
【図１６】
2017505592.tif 000018
【図１７】
2017505592.tif 000019
【手続補正書】
【提出日】平成27年12月28日(2015.12.28)
【手続補正１】
【補正対象書類名】特許請求の範囲
【補正対象項目名】全文
【補正方法】変更
【補正の内容】
【特許請求の範囲】
【請求項１】
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含むことを特徴とする監視映像の処理方法。
【請求項２】
カメラ装置がアップロードした前記監視映像ファイルに対してプライバシー保護操作を行うステップをさらに含むことを特徴とする請求項１に記載の監視映像の処理方法。
【請求項３】
前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含むことを特徴とする請求項２に記載の監視映像の処理方法。
【請求項４】
前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含むことを特徴とする請求項３に記載の監視映像の処理方法。
【請求項５】
前記ファイルキーをプリセットユーザーアカウントに配分するステップをさらに含むことを特徴とする請求項４に記載の監視映像の処理方法。
【請求項６】
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含むことを特徴とする請求項５に記載の監視映像の処理方法。
【請求項７】
前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に設定するステップと、
可視になった監視映像ファイルを表示するステップと、を含むことを特徴とする請求項３に記載の監視映像の処理方法。
【請求項８】
前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含むことを特徴とする請求項５又は請求項６に記載の監視映像の処理方法。
【請求項９】
前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含むことを特徴とする請求項４に記載の監視映像の処理方法。
【請求項１０】
監視映像ファイルに対する、ユーザーアカウントを介して送信される照会要求であって、前記ユーザーアカウントの権限情報を含む照会要求を取得する第１の取得モジュールと、
前記権限情報によって前記ユーザーアカウントに対して身分認証を行う認証モジュールと、
身分認証に成功すると、前記ユーザーアカウントが前記監視映像ファイルを照会することを許可する照会モジュールと、を備えることを特徴とする監視映像の処理装置。
【請求項１１】
カメラ装置がアップロードした前記監視映像ファイルに対してプライバシー保護操作を行う実行モジュールをさらに備えることを特徴とする請求項１０に記載の監視映像の処理装置。
【請求項１２】
前記実行モジュールは、
前記監視映像ファイルの属性を秘密に設定する設定サブモジュール、又は
前記監視映像ファイルに対して暗号化する暗号化サブモジュールのうちいずれか１つのサブモジュールを備えることを特徴とする請求項１１に記載の監視映像の処理装置。
【請求項１３】
前記暗号化サブモジュールは、前記監視映像ファイルに対して暗号化するためのファイルキーを取得し、前記ファイルキーによって前記監視映像ファイルに対して暗号化することを特徴とする請求項１２に記載の監視映像の処理装置。
【請求項１４】
前記ファイルキーをプリセットユーザーアカウントに配分する配分モジュールをさらに備えることを特徴とする請求項１３に記載の監視映像の処理装置。
【請求項１５】
前記プリセットユーザーアカウントのユーザー秘密鍵を取得する第２の取得モジュールと、
前記ファイルキー及び前記プリセットユーザーアカウントのユーザー秘密鍵によって、前記プリセットユーザーアカウントのユーザー公開鍵を生成する生成モジュールと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成する送信モジュールと、をさらに備えることを特徴とする請求項１４に記載の監視映像の処理装置。
【請求項１６】
前記照会モジュールは、
前記監視映像ファイルの属性が秘密に設定され、且つ身分認証に成功すると、前記監視映像ファイルの属性を可視に変更する変更サブモジュールと、
可視になった監視映像ファイルを表示する表示モジュールと、を備えることを特徴とする請求項１２に記載の監視映像の処理装置。
【請求項１７】
前記照会モジュールは、
前記監視映像ファイルが暗号化され、且つ身分認証に成功すると、前記ユーザーアカウントが入力するファイルキーを取得する取得サブモジュールと、
前記ファイルキーによって前記監視映像ファイルに対して復号化する復号化サブモジュールと、
復号化された監視映像ファイルを表示する表示サブモジュールと、を備えることを特徴とする請求項１４又は請求項１５に記載の監視映像の処理装置。
【請求項１８】
前記ファイルキーは前記監視映像ファイルを撮影するカメラ装置の所有者のユーザーパスワードであり、前記権限情報は前記ユーザーアカウントのユーザーネーム及びユーザーパスワードを含み、
前記照会モジュールは、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化する復号化サブモジュールと、
復号化された監視映像ファイルを表示する表示サブモジュールと、を備えることを特徴とする請求項１３に記載の監視映像の処理装置。
【請求項１９】
プロセッサーと、
前記プロセッサーによって実行可能な命令を記憶するメモリと、を備え、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成されることを特徴とする監視映像の処理装置。
【請求項２０】
プロセッサーに実行されることにより、請求項１〜９のいずれか１項に記載の監視映像の処理方法を実現する、コンピュータ読取可能な記録媒体に記録されたプログラム。
【請求項２１】
請求項２０に記載のプログラムが記録されたコンピュータ読取可能な記録媒体。
【手続補正２】
【補正対象書類名】明細書
【補正対象項目名】全文
【補正方法】変更
【補正の内容】
【発明の詳細な説明】
【技術分野】
【０００１】
本発明は、コンピュータ技術分野に関し、更に詳細には、監視映像の処理方法、装置、プログラム及び記録媒体に関する。
【背景技術】
【０００２】
伝統的なカメラをネットワーク技術と組み合わせることによって、ウェブカメラは、ネットワークを介して映像を地球の他の所に伝送することができ、遠いところに離れている訪問者が標準的なウェブブラウザ（例えば、Ｍｉｃｒｏｓｏｆｔ ＩＥ（登録商標）又はＮｅｔｓｃａｐｅ（登録商標））を介して映像を監視することができる。
【０００３】
関連技術におけるウェブカメラは、監視映像をローカルに保存できるだけでなく、ネットワークのルータに自動的に伝送することができて、ユーザーが監視し、バックアップすることに便宜を図る。これらの機能は実用的であるが、いずれのユーザーが勝手にルータの監視映像を照会することができて、相応的にプライバシー問題が存在する。
【発明の概要】
【発明が解決しようとする課題】
【０００４】
本発明は、監視映像の処理方法、装置、プログラム及び記録媒体を提供する。
【課題を解決するための手段】
【０００５】
本発明の第１の態様によれば、監視映像の処理方法が提供され、前記方法は、
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含む。
【０００６】
本発明では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【０００７】
好ましくは、前記方法は、カメラ装置がアップロードした前記監視映像ファイルに対してプライバシー保護操作を行うステップをさらに含む。
【０００８】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【０００９】
好ましくは、前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含む。
【００１０】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００１１】
好ましくは、前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含む。
【００１２】
好ましい技術的案において、端末は監視映像ファイルに対して暗号化して、監視映像ファイルに対する保護を実現でき、監視映像を勝手に照会することができなくなり、ユーザーのプライバシー情報の漏洩を防止し、ユーザーのプライバシーを効果的に保護することができる。
【００１３】
好ましくは、前記方法は、
前記ファイルキーをプリセットユーザーアカウントに配分するステップをさらに含む。
【００１４】
好ましい技術的案において、カメラ装置の所有者は、監視映像ファイルにアクセスする権限を含むユーザーアカウントを事前に設定することができ、端末はファイルキーをこのようなユーザーに配分することで、これらのユーザーが監視映像ファイルを照会することができる。このように、アクセス権限を有するユーザーのみが端末の監視映像ファイルを照会することができ、プライバシーを効果的に保護することができる。
【００１５】
好ましくは、前記方法は、
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含む。
【００１６】
好ましい技術的案において、ＲＳＡ公開鍵暗号方式に基づき、ファイルを暗号化するためのキーが公開されることを防止することができ、また、ファイルを暗号化するためのキーは一定であるが、プリセットユーザーアカウントの秘密鍵がそれぞれ異なってもよく、端末がそれぞれのユーザーアカウントのために生成した公開鍵も互いに異なってもよい。このように、それぞれのユーザーアカウントの公開鍵が公開されても、他人がファイルを暗号化するためのキーを取得することができなくなり、ファイルを暗号化するためのキーのセキュリティ性をさらに向上させることができて、監視映像ファイルのセキュリティ性も向上され、ユーザーのプライバシーをより効果的に保護することができる。
【００１７】
好ましくは、前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に変更するステップと、
可視になった監視映像ファイルを表示するステップと、を含む。
【００１８】
好ましい技術的案において、ユーザーが身分認証に成功すると、端末は秘密になった監視映像ファイルの属性を可視に変更し、身分認証に成功したユーザーが当該監視映像ファイルにアクセスすることができるようにして、監視映像ファイルに対する保護を実現でき、監視映像を勝手に照会することができなくなり、ユーザーのプライバシー情報の漏洩を防止し、ユーザーのプライバシーを効果的に保護することができる。
【００１９】
好ましくは、前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含む。
【００２０】
好ましい技術的案において、ユーザーが身分認証に成功すると、端末は監視映像ファイルに対して復号化すると共にユーザーに表示させるように、ユーザーにファイルキーを入力することを提示して、監視映像ファイルに対する保護を実現でき、監視映像を勝手に照会することができなくなり、ユーザーのプライバシー情報の漏洩を防止し、ユーザーのプライバシーを効果的に保護することができる。
【００２１】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含む。
【００２２】
好ましい技術的案において、カメラ装置の所有者が自分ＩＤのユーザーパスワードを用いて、監視映像ファイルに対して暗号化する場合、身分認証する時訪問者がカメラ装置の所有者自分であると確定されると、カメラ装置の所有者が監視映像ファイルに便利で簡単にアクセスできるように、ユーザーのために監視映像ファイルを直接復号化する。
【００２３】
本発明の第２の態様によれば、監視映像の処理装置が提供され、前記装置は、
監視映像ファイルに対する、ユーザーアカウントを介して送信される照会要求であって、前記ユーザーアカウントの権限情報を含む照会要求を取得する第１の取得モジュールと、
前記権限情報によって前記ユーザーアカウントに対して身分認証を行う認証モジュールと、
身分認証に成功すると、前記ユーザーアカウントが前記監視映像ファイルを照会することを許可する照会モジュールと、を備える。
【００２４】
好ましくは、前記装置は、カメラ装置がアップロードした前記監視映像ファイルに対してプライバシー保護操作を行う実行モジュールをさらに備える。
【００２５】
好ましくは、前記実行モジュールは、
前記監視映像ファイルの属性を秘密に設定する設定サブモジュール、又は
前記監視映像ファイルに対して暗号化する暗号化サブモジュールのうちいずれか１つのサブモジュールを備える。
【００２６】
好ましくは、前記暗号化サブモジュールは、前記監視映像ファイルに対して暗号化するためのファイルキーを取得し、前記ファイルキーによって前記監視映像ファイルに対して暗号化する。
【００２７】
好ましくは、前記装置は、前記ファイルキーをプリセットユーザーアカウントに配分する配分モジュールをさらに備える。
【００２８】
好ましくは、前記装置は、前記プリセットユーザーアカウントのユーザー秘密鍵を取得する第２の取得モジュールと、
前記ファイルキー及び前記プリセットユーザーアカウントのユーザー秘密鍵によって、前記プリセットユーザーアカウントのユーザー公開鍵を生成する生成モジュールと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成する送信モジュールと、をさらに備える。
【００２９】
好ましくは、前記照会モジュールは、
前記監視映像ファイルの属性が秘密に設定され、且つ身分認証に成功すると、前記監視映像ファイルの属性を可視に変更する変更サブモジュールと、
可視になった監視映像ファイルを表示する表示モジュールと、を備える。
【００３０】
好ましくは、前記照会モジュールは、
前記監視映像ファイルが暗号化され、且つ身分認証に成功すると、前記ユーザーアカウントが入力するファイルキーを取得する取得サブモジュールと、
前記ファイルキーによって前記監視映像ファイルに対して復号化する復号化サブモジュールと、
復号化された監視映像ファイルを表示する表示サブモジュールと、を備える。
【００３１】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
前記照会モジュールは、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化する復号化サブモジュールと、
復号化された監視映像ファイルを表示する表示サブモジュールと、を備える。
【００３２】
本発明の第３の態様によれば、監視映像の処理装置が提供され、前記装置は、
プロセッサーと、
前記プロセッサーによって実行可能な命令を記憶するメモリと、を備え、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成される。
本発明の第４の態様によれば、
プロセッサーに実行されることにより、上記の監視映像の処理方法を実現する、コンピュータ読取可能な記録媒体に記録されたプログラムを提供する。
本発明の第５の態様によれば、
上記プログラムが記録されたコンピュータ読取可能な記録媒体を提供する。
【００３３】
以上の一般的な記述と、以下の詳細の記述は、ただ例示的なものであって、本発明を限定するものではないことを理解すべきである。
【図面の簡単な説明】
【００３４】
ここの図面は、明細書に組み入れて本明細書の一部分を構成し、本発明に該当する実施例を例示するとともに、明細書とともに本発明の原理を解釈するために用いられる。
【図１】一例示的な実施例に係る監視映像の処理方法を示すフローチャートである。
【図２】他の一例示的な実施例に係る監視映像の処理方法を示すフローチャートである。
【図３】他の一例示的な実施例に係る監視映像の処理方法を示すフローチャートである。
【図４】他の一例示的な実施例に係る監視映像の処理方法を示すフローチャートである。
【図５】他の一例示的な実施例に係る監視映像の処理方法を示すフローチャートである。
【図６】他の一例示的な実施例に係る監視映像の処理方法を示すフローチャートである。
【図７】他の一例示的な実施例に係る監視映像の処理方法を示すフローチャートである。
【図８】一例示的な実施例に係る監視映像の処理装置を示すブロック図である。
【図９】他の一例示的な実施例に係る監視映像の処理装置を示すブロック図である。
【図１０】一例示的な実施例に係る実行モジュールを示すブロック図である。
【図１１】他の一例示的な実施例に係る監視映像の処理装置を示すブロック図である。
【図１２】他の一例示的な実施例に係る監視映像の処理装置を示すブロック図である。
【図１３】一例示的な実施例に係る照会モジュールを示すブロック図である。
【図１４】他の一例示的な実施例に係る照会モジュールを示すブロック図である。
【図１５】他の一例示的な実施例に係る照会モジュールを示すブロック図である。
【図１６】一例示的な実施例に係る監視映像を処理するための装置を示すブロック図である。
【図１７】一例示的な実施例に係る監視映像を処理するための装置を示すブロック図である。
【発明を実施するための形態】
【００３５】
ここで、図面に示される例示的な実施例について詳細に説明する。以下、図面に関連して説明する際に、特別な説明がない限り、異なる図面での同一符号は、同一又は類似な要素を示す。以下の例示的な実施例で記載する実施例は、本発明に一致する全ての実施例を代表するわけではない。むしろ、それらは、添付される特許請求の範囲で詳細に記載される本発明の一部の態様に一致する装置、及び方法の例に過ぎない。
【００３６】
カメラ装置（例えば、監視カメラ）は撮影した監視映像ファイルを端末機器（コンピュータ、又はルーター）にアップロードする。本発明は、主に端末機器の監視映像ファイルに対してプライバシーを保護する。
【００３７】
図１は、一例示的な実施例に係る監視映像の処理方法を示すフローチャートである。図１に示すように、カメラ装置は監視映像ファイルを端末にアップロードする。前記監視映像の処理方法は端末に適用され、以下のようなステップを含む。
【００３８】
ステップＳ１１：監視映像ファイルに対する、ユーザーアカウントを介して送信される照会要求であって、前記ユーザーアカウントの権限情報を含む照会要求を取得する。
【００３９】
ステップＳ１２：権限情報によってユーザーアカウントに対して身分認証を行う。
【００４０】
ステップＳ１３：身分認証に成功すると、ユーザーアカウントが監視映像ファイルを照会することを許可する。
【００４１】
本実施例では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【００４２】
図２は、他の一例示的な実施例に係る監視映像の処理方法を示すフローチャートである。図２に示すように、好ましくは、前記方法は、
カメラ装置がアップロードした前記監視映像ファイルに対してプライバシー保護操作を行うステップＳ１０をさらに含む。
【００４３】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【００４４】
好ましくは、ステップＳ１０は、
監視映像ファイルの属性を秘密に設定するステップ、又は
監視映像ファイルに対して暗号化するステップのうちいずれか１つのステップを含む。
【００４５】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００４６】
図３は、他の一例示的な実施例に係る監視映像の処理方法を示すフローチャートである。図３に示すように、好ましくは、監視映像ファイルに対して暗号化するステップは、
監視映像ファイルに対して暗号化するためのファイルキーを取得するステップＳ３１と、
ファイルキーによって監視映像ファイルに対して暗号化するステップＳ３２と、を含む。
【００４７】
好ましい技術的案において、端末は監視映像ファイルに対して暗号化する。暗号化するためのファイルキーはカメラ装置の所有者が事前に設定したものであってもよい。例えば、カメラ装置の所有者の端末におけるユーザーパスワードである。また、暗号化するためのファイルキーは端末が生成したものであってもよい。カメラ装置の所有者でも他のユーザーでも実際に監視映像ファイルに対して暗号化したファイルキーを獲得することができず、端末に保存した監視映像ファイルのセキュリティ性をさらに確保することができる。このような暗号化方法のすべてが監視映像ファイルに対する保護を実現でき、監視映像を勝手に照会することができなくなり、ユーザーのプライバシー情報の漏洩を防止し、ユーザーのプライバシーを効果的に保護することができる。
【００４８】
好ましくは、前記方法は、
ファイルキーをプリセットユーザーアカウントに配分するステップをさらに含む。
【００４９】
好ましい技術的案において、カメラ装置の所有者は、監視映像ファイルにアクセスする権限を含むユーザーアカウントを事前に設定することができ、端末はファイルキーをこのようなユーザーに配分することで、これらのユーザーが監視映像ファイルを照会することができる。このように、アクセス権限を有するユーザーのみが端末の監視映像ファイルを照会することができ、プライバシーを効果的に保護することができる。
【００５０】
図４は、他の一例示的な実施例に係る監視映像の処理方法を示すフローチャートである。図４に示すように、好ましくは、前記方法は、
プリセットユーザーアカウントのユーザー秘密鍵を取得するステップＳ４１と、
ファイルキー及びプリセットユーザーアカウントのユーザー秘密鍵によって、プリセットユーザーアカウントのユーザー公開鍵を生成するステップＳ４２と、
ユーザー公開鍵を対応するプリセットユーザーアカウントに送信し、プリセットユーザーアカウントがユーザー公開鍵及びユーザー秘密鍵によって監視映像ファイルのファイルキーを生成するステップＳ４３と、をさらに含む。
【００５１】
好ましい技術的案において、ＲＳＡ公開鍵暗号方式に基づき、端末はプリセットユーザーアカウントの秘密鍵及び自分のファイルを暗号化するためのキーによって、プリセットユーザーアカウントの公開鍵を生成し、他のユーザーは公開鍵及び自分の秘密鍵によってファイルを暗号化するためのキーを算出できる。従って、これらのユーザーは端末の映像ファイルにアクセスすることができる。このような暗号化方式により、ファイルを暗号化するためのキーが公開されることを防止することができ、また、ファイルを暗号化するためのキーは一定であるが、プリセットユーザーアカウントの秘密鍵がそれぞれ異なっていてもよく、端末がそれぞれのユーザーアカウントのために生成した公開鍵も互いに異なっていてもよい。このように、それぞれのユーザーアカウントの公開鍵が公開されても、他人がファイルを暗号化するためのキーを取得することができなくなり、ファイルを暗号化するためのキーのセキュリティ性をさらに向上させることができて、監視映像ファイルのセキュリティ性も向上され、ユーザーのプライバシーをより効果的に保護することができる。
【００５２】
図５は、他の一例示的な実施例に係る監視映像の処理方法を示すフローチャートである。図５に示すように、好ましくは、監視映像ファイルの属性が秘密に設定される場合、ステップＳ１３は、
身分認証に成功すると、監視映像ファイルの属性を可視に変更するステップＳ５１と、
可視になった監視映像ファイルを表示するステップＳ５２と、を含む。
【００５３】
好ましい技術的案において、ユーザーが身分認証に成功すると、端末は秘密になった監視映像ファイルの属性を可視に変更し、身分認証に成功したユーザーが当該監視映像ファイルにアクセスすることができるようにして、監視映像ファイルに対する保護を実現でき、監視映像を勝手に照会することができなくなり、ユーザーのプライバシー情報の漏洩を防止し、ユーザーのプライバシーを効果的に保護することができる。
【００５４】
図６は、他の一例示的な実施例に係る監視映像の処理方法を示すフローチャートである。図６に示すように、好ましくは、監視映像ファイルが暗号化される場合、ステップＳ１３は、
身分認証に成功すると、ユーザーアカウントが入力するファイルキーを取得するステップＳ６１と、
ファイルキーによって監視映像ファイルに対して復号化するステップＳ６２と、
復号化された監視映像ファイルを表示するステップＳ６３と、を含む。
【００５５】
好ましい技術的案において、ユーザーが身分認証に成功すると、端末は監視映像ファイルに対して復号化すると共にユーザーに表示させるように、ユーザーにファイルキーを入力することを提示して、監視映像ファイルに対する保護を実現でき、監視映像を勝手に照会することができなくなり、ユーザーのプライバシー情報の漏洩を防止し、ユーザーのプライバシーを効果的に保護することができる。
【００５６】
図７は、他の一例示的な実施例に係る監視映像の処理方法を示すフローチャートである。図７に示すように、好ましくは、ファイルキーは監視映像ファイルを撮影するカメラ装置の所有者のユーザーパスワードであり、権限情報はユーザーアカウントのユーザーネーム及びユーザーパスワードを含み、ステップＳ１３は、
権限情報によってユーザーアカウントを、監視映像ファイルを撮影するカメラ装置の所有者のＩＤ（ＩＤｅｎｔｉｆｉｃａｔｉｏｎ）として確定すると、監視映像ファイルを撮影するカメラ装置の所有者のユーザーパスワードを用いて、監視映像ファイルに対して復号化するステップＳ７１と、
復号化された監視映像ファイルを表示するステップＳ７２と、を含む。
【００５７】
好ましい技術的案において、カメラ装置の所有者が自分ＩＤのユーザーパスワードを用いて、監視映像ファイルに対して暗号化する場合、身分認証する時訪問者がカメラ装置の所有者自分であると確定されると、カメラ装置の所有者が監視映像ファイルに便利で簡単にアクセスできるように、ユーザーのために監視映像ファイルを直接復号化する。
【００５８】
図８は、一例示的な実施例に係る監視映像の処理装置を示すブロック図である。図８に示すように、前記装置は、第１の取得モジュール８１、認証モジュール８２、及び照会モジュール８３を有する。
【００５９】
第１の取得モジュール８１は、監視映像ファイルに対する、ユーザーアカウントを介して送信される照会要求であって、前記ユーザーアカウントの権限情報を含む照会要求を取得するように構成される。
【００６０】
認証モジュール８２は、前記権限情報によって前記ユーザーアカウントに対して身分認証を行うように構成される。
【００６１】
照会モジュール８３は、身分認証に成功すると、前記ユーザーアカウントが前記監視映像ファイルを照会することを許可するように構成される。
【００６２】
図９は、他の一例示的な実施例に係る監視映像の処理装置を示すブロック図である。図９に示すように、好ましくは、前記装置は、
前記カメラ装置がアップロードした前記監視映像ファイルに対してプライバシー保護操作を行うよう構成される実行モジュール８４をさらに有する。
【００６３】
図１０は、他の一例示的な実施形態に係る実行モジュールを示すブロック図である。図１０に示すように、好ましくは、前記実行モジュール８４は、
前記監視映像ファイルの属性を秘密に設定するように構成される設定サブモジュール１０１、又は
前記監視映像ファイルに対して暗号化するように構成される暗号化サブモジュール１０２のうちいずれか１つのサブモジュールを有する。
【００６４】
好ましくは、前記暗号化サブモジュール１０２は、前記監視映像ファイルに対して暗号化するためのファイルキーを取得し、前記ファイルキーによって前記監視映像ファイルに対して暗号化するように構成される。
【００６５】
図１１は、他の一例示的な実施例に係る監視映像の処理装置を示すブロック図である。図１１に示すように、好ましくは、前記装置は、
前記ファイルキーをプリセットユーザーアカウントに配分するように構成される配分モジュール８５をさらに有する。
【００６６】
図１２は、他の一例示的な実施例に係る監視映像の処理装置を示すブロック図である。図１２に示すように、好ましくは、前記装置は、
前記プリセットユーザーアカウントのユーザー秘密鍵を取得するように構成される第２の取得モジュール８６と、
前記ファイルキー及び前記プリセットユーザーアカウントのユーザー秘密鍵によって前記プリセットユーザーアカウントのユーザー公開鍵を生成するように構成される生成モジュール８７と、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するように構成される送信モジュール８８と、をさらに有する。
【００６７】
図１３は、他の一例示的な実施形態による照会モジュールを示すブロック図である。図１３に示すように、好ましくは、前記照会モジュール８３は、
前記監視映像ファイルの属性が秘密に設定され、且つ身分認証に成功すると、前記監視映像ファイルの属性を可視に変更するように構成される変更サブモジュール１３１と、
可視になった監視映像ファイルを表示するように構成される表示モジュール１３２と、を有する。
【００６８】
図１４は、他の一例示的な実施例に係る照会モジュールを示すブロック図である。図１４に示すように、好ましくは、前記照会モジュール８３は、
前記監視映像ファイルが暗号化され、且つ身分認証に成功すると、前記ユーザーアカウントが入力するファイルキーを取得するように構成される取得サブモジュール１４１と、
前記ファイルキーによって、前記監視映像ファイルに対して復号化するように構成される復号化サブモジュール１４２と、
復号化された監視映像ファイルを表示するように構成される表示サブモジュール１４３と、を有する。
【００６９】
図１５は、他の一例示的な実施例に係る照会モジュールを示すブロック図である。図１５に示すように、好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、前記照会モジュール８３は、
前記権限情報によって前記ユーザーアカウントを、前記監視映像ファイルを撮影するカメラ装置の所有者のＩＤとして確定すると、前記監視映像ファイルを撮影するカメラ装置の所有者のユーザーパスワードを用いて、前記監視映像ファイルに対して復号化するように構成される復号化サブモジュール１５１と、
復号化された監視映像ファイルを表示するように構成される表示サブモジュール１５２と、を有する。
【００７０】
前記実施例に係る装置において、その中のそれぞれのモジュールが操作を実行する具体的な方法は、関連する当該方法の実施例にてすでに詳細な説明をしたので、ここで詳細に説明しない。
【００７１】
また、本発明は、監視映像の処理装置をさらに提供し、前記装置は、
プロセッサーと、
前記プロセッサーによって実行可能な命令を記憶するメモリと、を有し、
前記プロセッサーは、
監視映像ファイルに対する、ユーザーアカウントを介して送信される照会要求であって、前記ユーザーアカウントの権限情報を含む照会要求を取得し、
前記権限情報によって前記ユーザーアカウントに対して身分認証を行い、
身分認証に成功すると、前記ユーザーアカウントが前記監視映像ファイルを照会することを許可するように構成される。
【００７２】
図１６は、１つの例示的な実施例に係る監視映像を処理するための装置を示すブロック図である。例えば、装置１６００は、携帯電話、コンピュータ、デジタルブロードキャスト端末、メッセージ送受信機、ゲーム機、タブレットデバイス、医療機器、フィットネス機器、ＰＤＡ等のものであってもよい。
【００７３】
図１６を参照すると、装置１６００は、処理ユニット１６０２、メモリ１６０４、電源ユニット１６０６、マルチメディアユニット１６０８、オーディオユニット１６１０、入力/出力（Ｉ/Ｏ）インターフェース１６１２、センサーユニット１６１４、及び通信ユニット１６１６からなる群から選ばれる少なくとも１つを備えてもよい。
【００７４】
処理ユニット１６０２は、一般的には、装置１６００の全体の操作、例えば、表示、電話呼び出し、データ通信、カメラ操作及び記録操作に関連する操作を制御する。処理ユニット１６０２は、上述した方法におけるステップの一部又は全部を実現できるように、命令を実行する少なくとも１つのプロセッサー１６２０を備えてもよい。また、処理ユニット１６０２は、他のユニットとのインタラクションの便宜を図るように、少なくとも１つのモジュールを備えてもよい。例えば、処理ユニット１６０２は、マルチメディアユニット１６０８とのインタラクションの便宜を図るように、マルチメディアモジュールを備えてもよい。
【００７５】
メモリ１６０４は、装置１６００での操作をサポートするように、各種のデータを記憶するように配置される。これらのデータは、例えば、装置１６００で何れのアプリケーション又は方法を操作するための命令、連絡先データ、電話帳データ、メッセージ、画像、ビデオ等を含む。メモリ１６０４は、何れの種類の揮発性又は不揮発性メモリ、例えば、ＳＲＡＭ（Ｓｔａｔｉｃ Ｒａｎｄｏｍ Ａｃｃｅｓｓ Ｍｅｍｏｒｙ）、ＥＥＰＲＯＭ（Ｅｌｅｃｔｒｉｃａｌｌｙ Ｅｒａｓａｂｌｅ Ｐｒｏｇｒａｍｍａｂｌｅ Ｒｅａｄ-Ｏｎｌｙ Ｍｅｍｏｒｙ）、ＥＰＲＯＭ（Ｅｒａｓａｂｌｅ Ｐｒｏｇｒａｍｍａｂｌｅ Ｒｅａｄ Ｏｎｌｙ Ｍｅｍｏｒｙ）、ＰＲＯＭ（Ｐｒｏｇｒａｍｍａｂｌｅ ＲＯＭ）、ＲＯＭ（Ｒｅａｄ Ｏｎｌｙ Ｍｅｍｏｒｙ）、磁気メモリ、フラッシュメモリ、磁気ディスク、或いは光ディスクにより、或いはそれらの組み合わせにより実現することができる。
【００７６】
電源ユニット１６０６は、装置１６００の各種ユニットに電力を供給するためのものであり、電源管理システム、１つ又は複数の電源、及び装置１６００のために電力を生成、管理及び分配することに関連する他のユニットを備えてもよい。
【００７７】
マルチメディアユニット１６０８は、装置１６００とユーザーとの間に出力インターフェースを提供するスクリーンを備えてもよい。スクリーンは、例えば、液晶ディスプレイ（ＬＣＤ）やタッチパネル（ＴＰ）を備えてもよい。スクリーンは、タッチパネルを備える場合、ユーザーからの入力信号を受信するように、タッチスクリーンになることができる。また、タッチパネルは、タッチや、スライドや、タッチパネル上の手振りを感知するように、少なくとも１つのタッチセンサーを有する。タッチセンサーは、タッチやスライド動作の境界を感知できるだけではなく、タッチやスライド操作と関連する持続時間や圧力も感知できる。一実施例では、マルチメディアユニット１６０８は、フロントカメラ及び/又はバックカメラを有してもよい。装置１６００が、例えば、撮影モードやビデオモードのような操作モードにある時、フロントカメラ及び/又はバックカメラが外部のマルチメディアデータを受信できる。フロントカメラ及びバックカメラのそれぞれは、固定の光学レンズ系であってもよいし、焦点距離及び光学ズーム能力を有するものであってもよい。
【００７８】
オーディオユニット１６１０は、オーディオ信号を出力及び/又は入力するように配置される。例えば、オーディオユニット１６１０は、マイクロフォン（ＭｉＣ）を有してもよい。装置１６００が、例えば、呼び出しモード、記録モード、又は音声認識モードのような操作モードにあるとき、マイクロフォンは、外部のオーディオ信号を受信するように配置される。受信したオーディオ信号は、メモリ１６０４にさらに記憶されてもよいし、通信ユニット１６１６を介して送信されてもよい。一実施例では、オーディオユニット１６１０は、オーディオ信号を出力するためのスピーカをさらに備えてもよい。
【００７９】
Ｉ/Ｏインターフェース１６１２は、処理ユニット１６０２と外部のインターフェースモジュールとの間にインターフェースを提供するためのものである。上記外部のインターフェースモジュールは、キーボードや、クリックホイールや、ボタン等であってもよい。これらのボタンは、ホームボタンや、音量ボタンや、スタートボタンや、ロックボタンであってもよいが、それらに限らない。
【００８０】
センサーユニット１６１４は、装置１６００のために各方面の状態を評価する少なくとも１つのセンサーを備えてもよい。例えば、センサーユニット１６１４は、装置１６００のオン/オフ状態や、ユニットの相対的な位置を検出することができる。例えば、前記ユニットは、装置１６００のディスプレイ及びキーパッドである。センサーユニット１６１４は、装置１６００又は装置１６００の１つのユニットの位置の変化、ユーザーによる装置１６００への接触の有無、装置１６００の方向又は加速/減速、装置１６００の温度変化などを検出することができる。センサーユニット１６１４は、何れの物理的な接触もない場合に付近の物体を検出するように配置される近接センサーを有してもよい。センサーユニット１６１４は、イメージングアプリケーションに用いるための光センサー、例えば、ＣＭＯＳ又はＣＣＤ画像センサーを有してもよい。一実施例では、当該センサーユニット１６１４は、加速度センサー、ジャイロスコープセンサー、磁気センサー、圧力センサー又は温度センサーをさらに備えてもよい。
【００８１】
通信ユニット１６１６は、装置１６００と他の設備の間との無線又は有線通信の便宜を図るように配置される。装置１６００は、通信標準に基づく無線ネットワーク、例えば、ＷｉＦｉ、２Ｇ又は３Ｇ、又はそれらの組み合わせにアクセスできる。１つの例示的な実施例では、通信ユニット１６１６は、ブロードキャストチャンネルを介して外部のブロードキャスト管理システムからのブロードキャスト信号又はブロードキャストに関する情報を受信する。１つの例示的な実施例では、前記通信ユニット８１６は、近距離通信を促進するために近距離無線通信（ＮＦＣ）モジュールをさらに備えてもよい。例えば、ＮＦＣモジュールは、無線周波数認識（ＲＦＩＤ：Ｒａｄｉｏ Ｆｒｅｑｕｅｎｃｙ ＩＤｅｎｔｉｆｉｃａｔｉｏｎ）技術、赤外線データ協会（ＩｒＤＡ：Ｉｎｆｒａｒｅｄ Ｄａｔａ Ａｓｓｏｃｉａｔｉｏｎ）技術、超広帯域無線（ＵＷＢ：Ｕｌｔｒａ Ｗｉｄｅ Ｂａｎｄ）技術、ブルートゥース（ＢＴ：Ｂｌｕｅｔｏｏｔｈ）（登録商標）技術及び他の技術によって実現されてもよい。
【００８２】
例示的な実施例では、装置１６００は、上述した方法を実行するために、１つ又は複数の特定用途向け集積回路（ＡＳＩＣ：Ａｐｐｌｉｃａｔｉｏｎ Ｓｐｅｃｉｆｉｃ Ｉｎｔｅｇｒａｔｅｄ Ｃｉｒｃｕｉｔ）、デジタル信号プロセッサー（ＤＳＰ：Ｄｉｇｉｔａｌ Ｓｉｇｎａｌ Ｐｒｏｃｅｓｓｏｒ）、デジタル信号処理デバイス（ＤＳＰＤ：Ｄｉｇｉｔａｌ Ｓｉｇｎａｌ Ｐｒｏｃｅｓｓｉｎｇ Ｄｅｖｉｃｅ）、プログラマブルロジックデバイス（ＰＬＤ：Ｐｒｏｇｒａｍｍａｂｌｅ Ｌｏｇｉｃ Ｄｅｖｉｃｅ）、書替え可能ゲートアレイ（ＦＰＧＡ：Ｆｉｅｌｄ−Ｐｒｏｇｒａｍｍａｂｌｅ Ｇａｔｅ Ａｒｒａｙ）、コントローラ、マイクロコントローラ、マイクロプロセッサー、又は他の電子機器によって実現されてもよい。
【００８３】
図１７は、一例示的な実施例に係る監視映像を処理するための装置を示すブロック図である。図１７を参照すると、例えば、装置１７００は、１つ以上のプロセッサーがさらに含まれた処理ユニット１７２２と、処理ユニット１７２２により実行可能な命令、例えばプログラムを記憶するメモリ１７３２を代表とするメモリリソースとを含む。メモリ１７３２に記憶されたアプリケーションプログラムは、１つ以上のそれぞれが一組の命令に対応するモジュールを含んでもよい。また、前記いずれか１つの実施例に提供された方法を実行するために、処理ユニット１７２２は命令を実行するように配置される。
【００８４】
装置１７００は、装置１７００の電源管理を実行するように配置された電源ユニット１７２６と、装置１７００をインターネットに接続させるように配置された有線又は無線インターネットインターフェース１７５０と、入力/出力（Ｉ/Ｏ）インターフェース１７５８とを備えてもよい。装置１７００はメモリ１７３２に記憶された操作システム、例えばＷｉｎｄｏｗｓ Ｓｅｒｖｅｒ（登録商標）、Ｍａｃ ＯＳ Ｘ（登録商標）、Ｕｎｉｘ（登録商標）, Ｌｉｎｕｘ（登録商標）、ＦｒｅｅＢＳＤ（登録商標）などに基づいて操作できる。
【００８５】
例示的な実施例では、命令を有する非一時的コンピュータ読み取り可能な記録媒体、例えば、命令を有するメモリをさらに提供する。前記命令は、装置のプロセッサーにより実行されて上述した方法を実現する。例えば、前記非一時的コンピュータ読み取り可能な記録媒体は、ＲＯＭ、ＲＡＭ、ＣＤ-ＲＯＭ、磁気テープ、フロッピー（登録商標）ディスク及び光データメモリ等であってもよい。
【００８６】
非一時的コンピュータ読み取り可能な記録媒体は、前記記録媒体における命令が端末又はルータのプロセッサーにより実行されると、端末又はルータが監視映像を処理する方法を実行するようにする。前記方法は、
監視映像ファイルに対する、ユーザーアカウントを介して送信される照会要求であって、前記ユーザーアカウントの権限情報を含む照会要求を取得するステップと、
前記権限情報によって前記ユーザーアカウントに対して身分認証を行うステップと、
身分認証に成功すると、前記ユーザーアカウントが前記監視映像ファイルを照会することを許可するステップと、を含む。
【００８７】
本実施例では、監視映像ファイルにアクセスするユーザーに対して身分認証を行うことで、身分認証に成功したユーザーのみが監視映像を照会することができるようにして、監視映像を勝手に照会することができなくなり、ユーザーのプライバシー情報の漏洩を防止し、ユーザーのプライバシーを効果的に保護することができる。
【００８８】
好ましくは、前記方法は、
カメラ装置がアップロードした前記監視映像ファイルに対してプライバシー保護操作を行うステップをさらに含む。
【００８９】
好ましい技術的案において、監視映像ファイルに対してプライバシー保護操作を行うことで、監視映像を勝手に照会することができなくなり、ユーザーのプライバシー情報の漏洩を防止し、ユーザーのプライバシーを効果的に保護することができる。
【００９０】
好ましくは、前記カメラ装置がアップロードした前記監視映像ファイルに対してプライバシー保護操作を行うステップは、
前記監視映像ファイルの属性を秘密に設定するステップ、又は
前記監視映像ファイルに対して暗号化するステップのうちいずれか１つのステップを含む。
【００９１】
好ましい技術的案において、監視映像ファイルを秘密にする方式、又は監視映像ファイルに対して暗号化する方式、又はこの２つの方式を組み合わせることで、監視映像ファイルを保護し、監視映像を勝手に照会することができなくなり、ユーザーのプライバシー情報の漏洩を防止し、ユーザーのプライバシーを効果的に保護することができる。
【００９２】
好ましくは、前記監視映像ファイルに対して暗号化するステップは、
前記監視映像ファイルに対して暗号化するためのファイルキーを取得するステップと、
前記ファイルキーによって前記監視映像ファイルに対して暗号化するステップと、を含む。
【００９３】
好ましくは、前記方法は、
前記ファイルキーをプリセットユーザーアカウントに配分するステップをさらに含む。
【００９４】
好ましくは、前記方法は、
前記プリセットユーザーアカウントのユーザー秘密鍵を取得するステップと、
前記ファイルキー及び前記プリセットユーザーアカウントのユーザー秘密鍵によって、前記プリセットユーザーアカウントのユーザー公開鍵を生成するステップと、
前記ユーザー公開鍵を対応するプリセットユーザーアカウントに送信し、前記プリセットユーザーアカウントが前記ユーザー公開鍵及び前記ユーザー秘密鍵によって前記監視映像ファイルのファイルキーを生成するステップと、をさらに含む。
【００９５】
好ましくは、前記監視映像ファイルの属性が秘密に設定される場合、身分認証に成功すると、前記ユーザーアカウントが前記監視映像ファイルを照会することを許可するステップは、
身分認証に成功すると、前記監視映像ファイルの属性を可視に変更するステップと、
可視になった監視映像ファイルを表示するステップと、を含む。
【００９６】
好ましくは、前記監視映像ファイルが暗号化される場合、前記身分認証に成功すると、前記ユーザーアカウントが前記監視映像ファイルを照会することを許可するステップは、
身分認証に成功すると、前記ユーザーアカウントが入力するファイルキーを取得するステップと、
前記ファイルキーによって前記監視映像ファイルに対して復号化するステップと、
復号化された監視映像ファイルを表示するステップと、を含む。
【００９７】
好ましくは、前記ファイルキーは前記監視映像ファイルを撮影するカメラ装置の所有者のユーザーパスワードであり、前記権限情報は前記ユーザーアカウントのユーザーネーム及びユーザーパスワードを含み、
身分認証に成功すると、前記ユーザーアカウントが前記監視映像ファイルを照会することを許可するステップは、
前記権限情報によって前記ユーザーアカウントを、前記監視映像ファイルを撮影するカメラ装置の所有者のＩＤとして確定すると、前記監視映像ファイルを撮影するカメラ装置の所有者のＩＤのユーザーパスワードを用いて、前記監視映像ファイルに対して復号化するステップと、
復号化された監視映像ファイルを表示するステップと、を含む。
【００９８】
当業者は、明細書に対する理解、及び明細書に記載された発明に対する実施を通じて、本発明の他の実施形態を容易に得ることができる。本発明は、本発明に対する任意の変形、用途、又は適応的な変化を含み、このような変形、用途、又は適応的な変化は、本発明の一般的な原理に従い、本発明では開示していない本技術分野の公知の知識、又は通常の技術手段を含む。明細書と実施例は、ただ例示的なものであって、本発明の本当の範囲と主旨は、以下の特許請求の範囲によって示される。
【００９９】
本発明は、前記で記述し、図面で図示した特定の構成に限定されず、その範囲を離脱しない状況で、様様な修正と変更を実現できる。本発明の範囲は、添付される特許請求の範囲のみにより限定される。
【０１００】
本願は、出願番号が２０１４１０８０４３２４.０であって、出願日が２０１４年１２月１９日である中国特許出願に基づき優先権を主張し、当該中国特許出願のすべての内容を本願に援用する。
【国際調査報告】
2017505592.tif 000020
2017505592.tif 000021
2017505592.tif 000022
2017505592.tif 000023
2017505592.tif 000024
2017505592.tif 000025